(57)【特許請求の範囲】
【請求項１】
発行処理が完了したカードを集積する集積部を複数有するカード発行装置において、
順送りで搬送される複数のカードに対して発行処理における複数の処理を行う独立駆動可能な複数の処理手段と、
これらの複数の処理手段による処理が順に行われたカードを第１の集積部に集積する第１の制御手段と、
上記各処理手段による処理の途中で取り除かれたカードに対しては、再度、上記各処理手段による処理を実行して上記第１の集積部と別の第２の集積部に集積する第２の制御手段と、
を具備したことを特徴とするカード発行装置。
【請求項２】
発行処理が完了したカードを集積する集積部を複数有するカード発行装置において、
順送りで搬送される複数のカードに対して発行処理における複数の処理を行う独立駆動可能な複数の処理手段と、
これらの各処理手段における障害の発生を検知する検知手段と、
上記複数の処理手段による処理中に上記検知手段により障害が検知された際に、障害が発生した処理手段よりも上流のカードに対する処理を中断し、障害が発生した処理手段よりも下流のカードに対する処理を継続して第１の集積部に集積する第１の制御手段と、
上記検知手段により障害が検知された処理手段のカードが取り除かれたのに基づき、障害が発生した処理手段よりも上流のカードに対する処理を再開して上記第１の集積部に集積するとともに、上記取り除かれたカードに対する処理を再度実行して上記第１の集積部と別の第２の集積部に集積する第２の制御手段と、
を具備したことを特徴とするカード発行装置。
【請求項３】
発行対象となるカードの印刷情報を有するホストコンピュータに接続され、発行処理が完了したカードを集積する集積部を複数有するカード発行装置において、
発行対象となる複数のカードに対する印刷情報と上記複数の集積部から第１の集積部を選択する集積部選択情報とを上記ホストコンピュータから受信し、上記印刷情報に基づいて順送りで搬送される複数のカードに対して発行処理における複数の処理を行う独立駆動可能な複数の処理手段と、
これらの各処理手段における障害の発生を検知する検知手段と、
上記複数の処理手段による処理中に上記検知手段により障害が検知された際に、障害が発生した処理手段よりも上流のカードに対する処理を中断し、障害が発生した処理手段よりも下流のカードに対する処理を継続して上記第１の集積部に集積する第１の制御手段と、
上記検知手段により障害が検知された処理手段のカードが取り除かれたのに基づき、上記ホストコンピュータから再度送信される取り除かれたカードに対する印刷情報と上記第１の集積部と別の第２の集積部を選択する集積部選択情報とを受信し、障害が発生した処理手段よりも上流のカードに対する処理を再開して上記第１の集積部に集積するとともに、上記取り除かれたカードに対する処理を再度実行して上記第１の集積部と別の第２の集積部に集積する第２の制御手段と、
を具備したことを特徴とするカード発行装置。
【請求項４】
発行処理が完了したカードを集積する集積部を複数有するカード発行装置のカード発行方法において、
順送りで搬送される複数のカードに対して発行処理における複数の処理を独立駆動で行う複数の処理工程と、
これらの複数の処理工程による処理中に障害が発生した際、障害が発生した箇所よりも上流のカードに対する処理を中断し、障害が発生した箇所よりも下流のカードに対する処理を継続して第１の集積部に集積する第１の制御工程と、
障害が発生した箇所のカードが取り除かれたのに基づき、障害が発生した箇所よりも上流のカードに対する処理を再開して上記第１の集積部に集積するとともに、上記取り除かれたカードに対する処理を再度実行して上記第１の集積部と別の第２の集積部に集積する第２の制御工程と、
を具備したことを特徴とするカード発行方法。
【請求項５】
発行対象となるカードの印刷情報を有するホストコンピュータに接続され、発行処理が完了したカードを集積する集積部を複数有するカード発行装置のカード発行方法において、
発行対象となる複数のカードに対する印刷情報と上記複数の集積部から第１の集積部を選択する集積部選択情報とを上記ホストコンピュータから受信し、上記印刷情報に基づいて順送りで搬送される複数のカードに対して発行処理における複数の処理を独立駆動で行う複数の処理工程と、
上記複数の処理工程による処理中に障害が発生した際に、障害が発生した箇所よりも上流のカードに対する処理を中断し、障害が発生した箇所よりも下流のカードに対する処理を継続して上記第１の集積部に集積する第１の制御工程と、
上記障害が発生した箇所のカードが取り除かれたのに基づき、上記ホストコンピュータから再度送信される取り除かれたカードに対する印刷情報と上記第１の集積部と別の第２の集積部を選択する集積部選択情報とを受信し、障害が発生した箇所よりも上流のカードに対する処理を再開して上記第１の集積部に集積するとともに、上記取り除かれたカードに対する処理を再度実行して上記第１の集積部と別の第２の集積部に集積する第２の制御工程と、
を具備したことを特徴とするカード発行方法。
【発明の詳細な説明】
【０００１】
【発明の属する技術分野】
この発明は、例えば、顔画像などの画像情報や文字情報を印刷した社員証やＩＤカード等のカードを発行するカード発行装置とカード発行方法に関する。
【０００２】
【従来の技術】
従来、キャッシュカードサイズのカード状媒体に画像情報や文字情報を印刷した後、この印刷面を保護するための保護層を形成してカードを発行するカード発行装置が知られている。
【０００３】
例えば、社員証カードを発行する従来のカード発行装置は、印刷対象のカードを保存したカード取り出し部と、顔画像等の画像情報を印刷する画像印刷部と、氏名、生年月日、有効期限等の文字情報を印刷する文字印刷部と、カード印刷面を保護するための保護層を形成する保護層形成部と、完成したカードを集積する集積部とにより構成されている。集積部は複数個あり、例えば、支社店別、部課別、男女別等にカードを分類し集積することができる。
【０００４】
また、この従来のカード発行装置は、カードの発行に要する時間短縮のため、各処理部が独立に制御され、並行動作して複数枚のカードを同時に処理することができるようになっている。例えば、連続発行動作で最大各処理部１枚のカードを処理することができる。
【０００５】
この装置の各処理工程で並行処理を行いながら連続してカードを発行している際に、ある処理工程で搬送不良等により発行に障害が発生すると、その障害が発生した箇所よりも後段の発行途中のカード状の媒体は、処理が続行されて発行対象のカードとして完成する。完成後、操作員に障害を通知し、障害発生したカードを取り除いたのに基づき、前段のカード発行を再開する。また、障害発生により取り除かれたカードは、再度、発行対象となり前段のカードに続いて発行される。
【０００６】
上述した装置において、集積部が集積時の各分類に対して単一の場合、例えば、入力時に使用した申請書と発行されたカードの画像情報および文字情報を照合する際に、再発行したカードをその他のカードと同一の集積部に集積すると、カードの発行指示の順序、すなわち、申請書の順序とカードの集積順序とが異なり、発行後の照合作業において、障害発生により再発行したカードを探す手間が必要となるという問題点がある。
【０００７】
【発明が解決しようとする課題】
上記したように、障害が発生して再発行したカードを正常に発行したカードとともに再発行した順序で集積すると、完成後のカードを発行時の順序で行う作業に手間がかかり、効率が悪いという問題点を解決するもので、完成後のカードを発行時の順序で行う作業に手間がかかることなく、発行したカード対して効率良く発行時の順序で作業することができるカード発行装置とカード発行方法を提供することを目的とする。
【０００８】
【課題を解決するための手段】
この発明のカード発行装置は、発行処理が完了したカードを集積する集積部を複数有するものにおいて、順送りで搬送される複数のカードに対して発行処理における複数の処理を行う独立駆動可能な複数の処理手段、これらの複数の処理手段による処理が順に行われたカードを第１の集積部に集積する第１の制御手段、および上記各処理手段による処理の途中で取り除かれたカードに対しては、再度、上記各処理手段による処理を実行して上記第１の集積部と別の第２の集積部に集積する第２の制御手段から構成されている。
【０００９】
この発明のカード発行装置は、発行処理が完了したカードを集積する集積部を複数有するものにおいて、順送りで搬送される複数のカードに対して発行処理における複数の処理を行う独立駆動可能な複数の処理手段、これらの各処理手段における障害の発生を検知する検知手段、上記複数の処理手段による処理中に、上記検知手段により障害が検知された際に、障害が発生した処理手段よりも上流のカードに対する処理を中断し、障害が発生した処理手段よりも下流のカードに対する処理を継続して第１の集積部に集積する第１の制御手段、および上記検知手段により障害が検知された処理手段のカードが取り除かれたのに基づき、障害が発生した処理手段よりも上流のカードに対する処理を再開して上記第１の集積部に集積するとともに、上記取り除かれたカードに対する処理を再度実行して上記第１の集積部と別の第２の集積部に集積する第２の制御手段から構成されている。
【００１０】
この発明のカード発行装置は、発行対象となるカードの印刷情報を有するホストコンピュータに接続され、発行処理が完了したカードを集積する集積部を複数有するものにおいて、発行対象となる複数のカードに対する印刷情報と上記複数の集積部から第１の集積部を選択する集積部選択情報とを上記ホストコンピュータから受信し、上記印刷情報に基づいて順送りで搬送される複数のカードに対して発行処理における複数の処理を行う独立駆動可能な複数の処理手段、これらの各処理手段における障害の発生を検知する検知手段、上記複数の処理手段による処理中に上記検知手段により障害が検知された際に、障害が発生した処理手段よりも上流のカードに対する処理を中断し、障害が発生した処理手段よりも下流のカードに対する処理を継続して上記第１の集積部に集積する第１の制御手段、および上記検知手段により障害が検知された処理手段のカードが取り除かれたのに基づき、上記ホストコンピュータから再度送信される取り除かれたカードに対する印刷情報と上記第１の集積部と別の第２の集積部を選択する集積部選択情報とを受信し、障害が発生した処理手段よりも上流のカードに対する処理を再開して上記第１の集積部に集積するとともに、上記取り除かれたカードに対する処理を再度実行して上記第１の集積部と別の第２の集積部に集積する第２の制御手段から構成されている。
【００１１】
この発明のカード発行方法は、発行処理が完了したカードを集積する集積部を複数有するカード発行装置において、順送りで搬送される複数のカードに対して発行処理における複数の処理を独立駆動可能で行う複数の処理工程、これらの複数の処理工程による処理中に障害が発生した際、障害が発生した箇所よりも上流のカードに対する処理を中断し、障害が発生した箇所よりも下流のカードに対する処理を継続して第１の集積部に集積する第１の制御工程、および障害が発生した箇所のカードが取り除かれたのに基づき、障害が発生した箇所よりも上流のカードに対する処理を再開して上記第１の集積部に集積するとともに、上記取り除かれたカードに対する処理を再度実行して上記第１の集積部と別の第２の集積部に集積する第２の制御工程を有する。
【００１２】
この発明のカード発行方法は、発行対象となるカードの印刷情報を有するホストコンピュータに接続され、発行処理が完了したカードを集積する集積部を複数有するカード発行装置において、発行対象となる複数のカードに対する印刷情報と上記複数の集積部から第１の集積部を選択する集積部選択情報とを上記ホストコンピュータから受信し、上記印刷情報に基づいて順送りで搬送される複数のカードに対して発行処理における複数の処理を独立駆動で行う複数の処理工程、上記複数の処理工程による処理中に障害が発生した際に、障害が発生した箇所よりも上流のカードに対する処理を中断し、障害が発生した箇所よりも下流のカードに対する処理を継続して上記第１の集積部に集積する第１の制御工程、および上記障害が発生した箇所のカードが取り除かれたのに基づき、上記ホストコンピュータから再度送信される取り除かれたカードに対する印刷情報と上記第１の集積部と別の第２の集積部を選択する集積部選択情報とを受信し、障害が発生した箇所よりも上流のカードに対する処理を再開して上記第１の集積部に集積するとともに、上記取り除かれたカードに対する処理を再度実行して上記第１の集積部と別の第２の集積部に集積する第２の制御工程を有する。
【００１３】
【発明の実施の形態】
以下、この発明の実施の形態について図面を参照して詳細に説明する。
図１は、この発明の実施の形態に係わるカード発行装置の概略構成図である。このカード発行装置１は、キャッシュカードサイズの例えば図２に示すような社員証カード１０を発行するカード発行機２と、社員の顔画像等の画像情報及び社員の氏名、生年月日、有効期限等の文字情報をカード発行機２に転送し、カード発行機２の発行を管理する例えばパソコン等からなる外部装置としてのホストコンピュータ３とから構成されている。
【００１４】
上記ホストコンピュータ３は、カード発行機２に転送する各社員毎の画像情報及び文字情報をデータベース（図示しない）として持っており、カード発行機２側で発行動作中に発行障害が発生しても、再発行できるようになっている。
【００１５】
上記カード発行機２は、箱型状の発行機本体２Ａを有し、この発行機本体２Ａ内に、印刷対象のカード（カード状媒体）１０を集積状態で保存し、カード発行動作時には保存中のカード１０の中から１枚ずつ取り出すカード取り出し部４、カード取り出し部４から取り出されたカード１０にカラーの顔画像等の画像情報を印刷する画像印刷部５、顔画像印刷後のカード１０に氏名、生年月日、有効期限等の文字情報を印刷する文字印刷部６、カード１０上に印刷された顔画像を太陽光等の紫外線から保護する紫外線吸収層を転写する紫外線吸収層形成部７、カード印刷面を摩擦等の機械的作用による傷、劣化等から保護するための保護層を形成する保護層形成部８、完成後のカード１０やリジェクトされたカード１０を集積する集積部９を各々配設している。
【００１６】
また、集積部９は集積部を複数個、例えば、集積部Ａ（４０ａ）、集積部Ｂ（４０ｂ）、集積部Ｃ（４０ｃ）の３個有しており、設定により集積部Ａ（４０ａ）、集積部Ｂ（４０ｂ）の２個は支社店別、部課別、男女別等にカード１０を分類して集積することができ、残り集積部Ｃ（４０ｃ）の１個は、例えば、ある処理工程で搬送不良等により操作員により取り除いた後に再発行されたカードが集積される。
【００１７】
なお、上記のカード取り出し部４、画像印刷部５、文字印刷部６、紫外線吸収形成部７、保護層形成部８及び集積部９を以下「処理部」ともいう。また、この各処理部４〜９は、独立駆動可能な複数の搬送路上に配設されている。
【００１８】
上記カード取り出し部４は、発行機本体２Ａに着脱可能なカードカートリッジ４ａを備え、このカードカートリッジ４ａの中には印刷対象のカード１０が積載保存され、最上位のカード１０の上には錘４ｂが置かれている。なお、カード１０には会社名、所在地等が予め印刷されている。また、このカードカートリッジ４ａは、ピッカー４ｃによって最下位のカード１０を１枚ずつ取り出せる構造となっている。
【００１９】
また、カード取り出し部４には、取り出したカード１０を搬送する搬送ローラ１１を設けている。この搬送ローラ１１の前段には、取出したカード１０の搬送障害の有無を検知する搬送障害検知センサ１１ａが設けられている。この搬送障害検知センサ１１ａは、所定時間にカード１０が検知されたか否かによりカード取り出し部４内における搬送障害を検知するようになっている。
【００２０】
上記画像印刷部５は、例えば、昇華型感熱転写記録方式によりカラー画像を印刷するものであり、主にプラテンローラ１２、第１のサーマルヘッド１３、搬送ローラ１４、発行機本体２Ａに着脱可能なリボンカセット１５及びこれらを駆動系により構成されている。
【００２１】
上記リボンカセット１５には、イエロー、マゼンタ、シアンの３色のインクが塗布された感熱転写リボン１６が収められている。この感熱転写リボン１６は、供給側ロール１７から取り出され、ステイ１８を経由して巻き収りロール１９に巻き取られるようになっている。
【００２２】
上記感熱転写リボン１６に臨む第１のサーマルヘッド１３は、略カード幅の印刷領域をもつラインヘッドであり、感熱転写リボン１６を挟んでプラテンローラ１２に対して加圧、解除可能に移動できる構成になっている。
【００２３】
上記のように構成された画像印刷部５は、第１のサーマルヘッド１３とプラテンローラ１２とで感熱転写リボン１６をカード１０に加圧し、搬送時に第１のサーマルヘッド１３を発熱させ、感熱転写リボン１６の３色のインクをカード１０上に順次転写し、３色重ねることによりカラー画像を形成し、カラー印刷完了後は搬送ローラ１４によってカード１０を下流の文字印刷部６に搬送する。上記搬送ローラ１４の前段には、所定時間にカードが検知されたか否かにより搬送障害を検知する搬送障害検知センサ１４ａが設けられている。
【００２４】
また、画像印刷部内５には、後述するように、上記感熱転写リボン１６のリボン切れを検知するリボン破断検知センサ、電気的な障害の有無を検知する電気的障害検知センサ、熱的な障害の有無を検知する熱的障害検知センサが設けられている。
【００２５】
上記文字印刷部６は、例えば、溶融型感熱転写記録方式により文字情報を印刷するものであり、感熱転写リボン２４を除けば画像印刷部５と同様の構成となっている。すなわち、文字印刷部６は、主にプラテンローラ２０、第２のサーマルヘッド２１、搬送ローラ２２、発行機本体２Ａに着脱可能なリボンカセット２３、これらを駆動する駆動系により構成されている。上記搬送ローラ２２の前段で搬送障害を検知する搬送障害検知センサ２２ａが設けられている。
【００２６】
上記リボンカセット２３には、黒色のインクが塗布された感熱転写リボン２４が収められている。この感熱転写リボン２４は、供給側ロール２５から取り出され、ステイ２６を経由して巻き取りロール２７に巻き取られるようになっている。
【００２７】
上記感熱転写リボン２４に臨む第２のサーマルヘッド２１は、略カード幅の印刷領域をもつラインヘッドであり、感熱転写リボン２４を挟んでプラテンローラ２０に対して加圧、解除可能に移動できる構成になっている。
【００２８】
また、文字印刷部６には、後述するように、上記感熱転写リボン２４のリボン切れを検知するリボン破断検知センサ、電気的な障害の有無を検知する電気的障害検知センサ、熱的な障害の有無を検知する熱的障害検知センサが設けられている。
【００２９】
上記紫外線吸収層形成部７は、画像印刷部５により印刷された顔画像を太陽光や次処理である保護層形成部８で照射される紫外線から保護する紫外線吸収層を転写するものであり、主にバックアップローラ２８、ヒートローラ２９、搬送ローラ３０、発行機本体２Ａに着脱可能なリボンカセット３１及びこれらを駆動する駆動系により構成されている。上記搬送ローラ３０の前段には、搬送障害を検知する搬送障害検知センサ３０ａが設けられている。
【００３０】
上記リボンカセット３１には、紫外線吸収層が塗布された熱転写リボン３２が収められている。この熱転写リボン３２は、供給側ロール３３から取り出され、ステイ３４を経由して巻き取りロール３５に巻き取られるようになっている。
【００３１】
上記熱転写リボン３２に臨むヒートローラ２９は、熱転写リボン３２を挟んでバックアップローラ２８に対して加圧、解除可能に回転できる構成になっている。
【００３２】
また、紫外線吸収層形成部７には、後述するように、上記熱転写リボン３２のリボン切れを検知するリボン破断検知センサ、電気的な障害の有無を検知する電気的障害検知センサ、熱的な障害の有無を検知する熱的障害検知センサが設けられている。
【００３３】
上記画像印刷部５で採用した昇華型感熱転写記録方式は、第１のサーマルヘッド１３の発熱抵抗体の発熱量に応じて画像における画素の濃度を制御することができ、銀塩写真に近い高品質の画像が得られるが、太陽光の紫外線等により退色してしまうため、この紫外線吸収層形成部７により紫外線吸収層を顔画像上に形成することにより劣化を防ぐようにしている。
【００３４】
上記のように構成された紫外線吸収層形成部７は、ヒートローラ２９によりカード１０に対して熱転写リボン３２をバックアップローラ２８側に抑圧して、ヒートローラ２９の回転によるカード１０の搬送時に紫外線吸収層を転写する。
【００３５】
上記保護層形成部８は、カード印刷面を摩擦等から保護するための保護層を形成するものであり、主にグラビアローラ３７、搬送ベルト３８、紫外線ランプ３９、これらを駆動する駆動系及び紫外線硬化樹脂槽３６を具備している。
【００３６】
上記のように構成された保護層形成部８は、例えば液状の紫外線硬化樹脂をグラビアローラ３７によりカード印刷面上に均一に塗布し、その後搬送ベルト３８により搬送し、紫外線ランプ３９により紫外線を照射することにより、樹脂を硬化させ保護層を形成する。また、保護層形成部８には、搬送ベルト３８上におけるカードの搬送障害を検知する搬送障害検知センサ３８ａが設置されている。
【００３７】
上記集積部９は、保護層の形成まで正常に行われた完成カード１０を集積する３個の集積部Ａ（４０ａ）、集積部Ｂ（４０ｂ）、集積部Ｃ（４０ｃ）と、完成カード１０を集積部Ａ（４０ａ）、集積部Ｂ（４０ｂ）、集積部Ｃ（４０ｃ）に振り分けるゲート４１ａ、４１ｂと、完成カード１０を集積部Ａ（４０ａ）、集積部Ｂ（４０ｂ）、集積部Ｃ（４０ｃ）まで搬送する搬送ベルト４２ａ、４２ｂ、ゲート４１ａ、４１ｂ及び搬送ベルト４２ａ、４２ｂを駆動する駆動系とから構成されている集積部Ａ（４０ａ）、集積部Ｂ（４０ｂ）、集積部Ｃ（４０ｃ）には、後述するＣＰＵ１０１の制御に基づくゲート４１ａ、４１ｂの振り分け動作によりカード１０が振り分けられて集積されるようになっている。
【００３８】
図３は、カード発行機２の制御系を示すブロック図である。
この制御系は大別してＣＰＵ周辺回路１００、機構制御回路１１０、画像印刷回路１２０、文字印刷回路１３０に分類される。
【００３９】
上記ＣＰＵ周辺回路１００は、ＣＰＵ１０１、種々の制御プログラム等を記憶するＲＯＭ１０２、各種の情報を記憶するＲＡＭ１０３及びホストコンピュータ３との通信を行うホストＩ／Ｆ回路１０４で構成される。
【００４０】
上記ＣＰＵ１０１は、ＲＯＭ１０２に記憶されている制御プログラムに基づいて、カード取り出し部４からカード１０を一枚ずつ取り出し、搬送路に沿って搬送させ、その搬送した各カード１０に対して各処理を並行制御を行うとともに、後述する障害検知センサから障害検知信号が出力された場合に、その障害検知信号に基づいて、障害が発生した箇所以前の処理を中断し、その箇所より後段のカードに対する発行処理を続行してカードを完成し集積するよう発行制御を行うようになっている。
【００４１】
上記機構制御回路１１０は、各処理部４〜９の状態（例えば、搬送障害、リボン破断、電気的障害、熱的障害等）を監視するためのセンサ入力系と、各処理部４〜９の機構を実際に動作させるためのモータ、ソレノイド及びこれらを駆動する駆動系からなり、前記各処理部４〜９に合わせてカード取り出し部用機構回路１１４、画像印刷用機構制御回路１１５、文字印刷部機構制御回路１１６、紫外線吸収層形成部用機構制御回路１１７、保護層形成部用機構制御回路１１８、集積部用機構制御回路１１９に分かれて配置されている。
【００４２】
上記各機構回路１１４〜１１９におけるセンサ入力系は、各処理部にそれぞれ配設される種々の障害検知センサからなっている。例えば、所定時間にカードが検知されたか否かにより搬送障害を検知するホトセンサの如き搬送障害検知センサ１１ａ、１４ａ、２２ａ、３０ａ、３８ａ、リボン破断を検知するテンションセンサの如きリボン破断検知センサ１１５ａ、１１６ａ、電気的障害を検知する電圧計の如き電気的障害検知センサ１１４ａ、１１５ｂ、１１６ｂ、１１７ａ、１１８ａ、１１９ａ、熱的障害を検知するサーミスタの如き熱的障害検知センサ１１５ｃ、１１６ｃ等の障害検知センサである。これらの障害検知センサは、障害を検知すると、障害検知信号をＣＰＵ１０１に出力するようになっている。
【００４３】
上記画像印刷回路１２０は、ホストコンピュータ３から受信したＲＧＢ顔画像信号を蓄積するカラー画像バッファ１２１と、カラー画像バッファ１２１に書き込まれた画像信号からイエロー（Ｙｅ１１ｏｗ）、マゼンタ（Ｍａｇｅｎｔａ）、シアン（Ｃｙａｎ）の各インク濃度を算出する色変換処理回路１２２と、色変換処理回路１２２で算出したインク濃度信号に従って第１のサーマルヘッド１３に印加する電力を求め、これに基づいて第１のサーマルヘッド１３を駆動する第１のサーマルヘッド駆動回路１２３とを具備している。
【００４４】
上記文字印刷回路１３０は、カード印刷に使用する文字形状を記憶しておくフォントＲＯＭ１３１及びカード１０上への文字の印刷フォーマット等を記憶する補助記憶装置１３２と、ホストコンピュータ３から受信した文字情報としての文字コード信号を蓄積するコードバッファ１３３と、コードバッファ１３３内の文字コードと補助記憶装置１３２に蓄えられた印刷フォーマットとを基にビットマップ展開したカード全体の画像のビットマップを蓄えるぺ一ジバッファ１３４と、このぺ一ジバッファ１３４の内容に基づき第２のサーマルヘッド２１を駆動する箱２のサーマルヘッド駆動回路１３５を具備している。
【００４５】
次に、このカード発行装置１によるカード発行動作を説明する。
図４、および図５は、カード発行装置１の発行動作を説明するためのフローチャートである。なお、以下の動作説明では、社員Ａ、Ｂ、Ｃ、Ｄ、Ｅの５人の社員証カードＡ、Ｂ、Ｃ、Ｄ、Ｅを連続して発行する場合について説明する。ここで、社員証カードＡ、Ｂ、Ｃ、Ｄ、Ｅは、全て正常に発行された場合、順に集積部Ａ（４０ａ）に集積される設定とする。
【００４６】
図４に示すように、操作員がカード発行機２の電源を投入すると（ステップＳ１）、ＣＰＵ１０１は、カード発行機２内各部の初期化処理を行う（ステップＳ２）。ホストコンピュータ３は、操作員の操作に基づき発行するカードＡ、Ｂ、Ｃ、Ｄ、ＥのＲＧＢ顔画像信号（画像情報）、文字コード信号（文字情報）及び完成カード集積部選択信号（集積部選択情報）を図示しないデータベースから読み出して順次カード発行機２に転送する。
【００４７】
これらの情報を受信したカード発行機２は、カードＡ、Ｂ、Ｃ、Ｄ、Ｅの発行処理を開始する。ここでは、まず、カードＡの発行動作について説明する。
ＣＰＵ１０１は、ホストＩ／Ｆ回路１０４を介してホストコンピュータ３から社員Ａの顔画像に対応したＲＧＢ顔画像信号及び文字コード信号を受信すると（ステップＳ３）、その受信したＲＧＢ顔画像信号をカラー画像バッファ１２１、文字コード信号をコードバッファ１３３に転送する。
【００４８】
また、ホストコンピュータ３は、カードＡに対して集積部Ａ（４０ａ）が選択されるように完成カードを集積する集積部の設定をＣＰＵ１０１に対して行う。ＣＰＵ１０１は、完成したカードの集積部を集積部Ａ（４０ａ）に設定し、１枚分の画像情報、および文字情報を受信し終わると、カードＡの取り出しと画像印刷とを行う（ステップＳ４）。
【００４９】
すなわち、カード取り出し部４は、ピッカー４ｃをカード供給位置に持ち上げ、ピッカー４ｃを回転させて会社名、所在地等が予め印刷されている社員Ａ用のカードを１枚だけカードカートリッジ４ａから取り出す。この取出されたカードＡは、搬送ローラ１１により顔を印刷する画像印刷部５内の印刷開始位置まで搬送される。
【００５０】
画像印刷部５は、感熱転写リボン１６におけるイエローまで頭出しを行い、第１のサーマルヘッド１３を印刷位置に移動する。すると、画像印刷部５は、色変換処理回路１２２の動作モードをイエローインクの量計算モードに設定し、カードＡの所定の欄に前記カラー画像情報に対応するイエロー画像を印刷する。このイエロー画像の印刷が終了すると、画像印刷部５は、第１のサーマルヘッド１３を待機位置に移動し、画像印刷部５内の印刷開始位置までカードＡの戻し搬送を行い、さらに感熱転写リボン１６のマゼンタ先頭位置まで巻き上げる。
【００５１】
そして、画像印刷部５は、第１のサーマルヘッド１３を印刷位置に移動し、色変換処理回路１２２の動作モードをマゼンタインク量計算モードに設定し、カードＡの所定の欄に前記カラー画像情報に対応するマゼンタ画像を印刷する。このマゼンタ画像の印刷が終了すると、画像印刷部５は、第１のサーマルヘッド１３を待機位置に移動し、画像印刷部５内の印刷開始位置までカードＡの戻し搬送を行い、感熱転写リボン１６をシアン先頭位置まで巻き上げる。
【００５２】
そして、画像印刷部５は、第１のサーマルヘッド１３を印刷位置に移動し、色変換処理回路１２２の動作モードをシアンインクの量計算モードに設定し、カードＡの所定の欄に前記カラー画像情報に対応するシアン画像を印刷する。このシアン画像の印刷が終了すると、画像印刷部５は、カラーによる画像情報の印刷を完了し、第１のサーマルヘッド１３を待機位置に移動する。
【００５３】
このように画像印刷部５によりカラー画像情報の印刷が完了したカードＡは、搬送ローラ１４により文字印刷部６内の印刷開始位置まで搬送される。カードＡが文字印刷部６の印刷開始位置に搬送されると、文字印刷部６は、カードＡに対する文字印刷処理を行う（ステップＳ５）。
【００５４】
すなわち、文字印刷部６はＣＰＵ１０１の制御の基にコードバッファ１３３内の文字コード信号をぺ一ジバッファ１３４にビットマップ展開し、さらに、前記第２のサーマルヘッド２１を印刷位置に移動し、ビットマップ展開された文字をカードＡの各項目欄に印刷する。カードＡに対する文字情報の印刷が完了すると、文字印刷部６は、第２のサーマルヘッド２１を待機位置に移動する。
【００５５】
このように文字情報が印刷されたカードＡは、搬送ローラ２２により紫外線吸収層形成部７内の転写開始位置まで搬送される。この転写開始位置にカードＡが搬送されると、紫外線吸収層形成部７は、カードＡの所定位置に印刷された画像情報（顔画像）上に紫外線吸収層を転写する（ステップＳ６）。
【００５６】
紫外線吸収層が転写されたカードＡは、搬送ローラ３０により保護層形成部８に搬送される。保護層形成部８では、カードＡの印刷面上に保護層を形成する（ステップＳ７）。
【００５７】
さらに、保護層が形成されたカードＡは、集積部９に搬送される。集積部９では、上記ステップ３で受信した信号により設定されている正常に完成したカードを集積する集積部Ａ（４０ａ）に完成した社員証として集積する（ステップＳ８）。
【００５８】
以上の処理が終了すると、ＣＰＵ１０１は、ホストコンピュータ３にカードＡの発行完了信号を送信し（ステップＳ９）、カラー画像バッファ１２１に記憶されている社員Ａ用の画像情報（顔画像）とコードバッファ１３３に記憶されている社員Ａ用の文字コード信号を削除する（ステップＳ１０）。このようにしてカードＡの発行処理が完了する。
【００５９】
次に、カードＡに続いて順次並行して行われるカードＢ、Ｃ、Ｄ、Ｅに対する発行動作について図４、および図５のフローチャートを参照しつつ説明する。  図４に示すように、社員Ａ用のカードＡの発行処理において、画像印刷部５によるカードＡへの画像情報の印刷処理中に（ステップＳ４）、ホストコンピュータ３からカード発行機２に社員Ｂの画像情報（顔画像）と文字情報と集積部の選択信号が送信される。これらの情報を受信すると（ステップＳ１１）、ＣＰＵ１０１は、社員Ｂ用のカードＢの発行処理に入る。
【００６０】
すなわち、カードＡに対する画像印刷処理が完了してカードＡが文字印刷部６に搬送される際に、カード取り出し部４は、カードカートリッジ４ａより社員Ｂ用のカードＢを取り出し、画像印刷部５に社員Ｂ用のカードＢを搬送する。そして、画像印刷部５では、カードＢへの画像情報の印刷を行う（ステップＳ１２）。このカードＢへの画像情報の印刷処理が終了した時点で、次の文字印刷部６によるカードＡへの文字印刷処理が終了している場合には、カードＢを次の処理部である文字印刷部６に搬送する。
【００６１】
一方、社員Ｃ用のカードＣについては、カードＡの文字印刷、およびカードＢへの画像印刷を行っている際に、カード発行機２がカードＣの画像情報、文字情報、および集積部選択情報をホストコンピュータ３から受信するようになっている（ステップ２０）。
【００６２】
さらに、ＣＰＵ１０１は、カード発行機２内の処理として、カードＡへの紫外線吸収層形成処理（ステップＳ６）、およびカードＢへの文字印刷処理（ステップＳ１３）、カードＣへの取出しおよび画像印刷処理（ステップＳ２１）、および社員Ｄ用のカードＤに対する画像情報、文字情報、および集積部選択情報の受信（ステップＳ２８）が、それぞれ並行して実行される。
【００６３】
これらのステップＳ６、Ｓ１３、Ｓ２１、Ｓ２８の各処理部での処理が正常に終了すると、ＣＰＵ１０１の制御によりカードＡへの保護層形成処理（ステップＳ７）、カードＢへの紫外線吸収層形成処理（ステップＳ１４）、およびカードＣへの文字印刷処理（ステップＳ２２）、カードＤの取出しおよび画像印刷処理（ステップＳ２９）、および社員Ｅ用のカードＥに対する画像情報、文字情報、および集積部選択情報の受信（ステップＳ３２）が、それぞれ並行して実行される。この際、カードＡ、Ｂ、Ｃ、Ｄ、Ｅは、図６の（１）に示すように、それぞれの処理を実行する各処理部にある状態となっている。
【００６４】
続いて、上記ステップＳ７、Ｓ１４、Ｓ２２、Ｓ２９、Ｓ３２で、各カードに対する各処理部での処理が正常に終了すると、ＣＰＵ１０１は、カードＡの集積部Ａ（４０ａ）への集積処理（ステップＳ８）、カードＢへの保護層形成処理（ステップＳ１５）、カードＣへの紫外線吸収層形成処理（ステップＳ２３）、およびカードＤへの文字印刷処理（ステップＳ３０）、およびカードＥの取出しおよび画像印刷処理（ステップＳ３３）を、それぞれ並行して実行する。
【００６５】
この際に、図４の（２）に示すように、カード発行機２内において、何らかの理由でカードＤが画像印刷部から文字印刷部への搬送途中で搬送不良が生じ、文字印刷部６における所定のカード停止位置に到達しないことによる障害が発生したとする。
【００６６】
この場合、ＣＰＵ１０１は、文字印刷部機構制御回路１１６の搬送障害検知センサ３０ａから障害検知信号を受信する。ＣＰＵ１０１は、この障害検知信号により文字印刷部６への搬送途中でカードＤに搬送障害が発生したことを認識し、障害が発生した処理部以前の処理を中断する。つまり、図６の（３）に示すように、文字印刷部６および画像印刷部５での処理を中断し、カードＤおよびカードＥをそれぞれ文字印刷部６および画像印刷部５に停止させる（ステップＳ３１、Ｓ３４）。但し、ここでは、カードＥに対する画像印刷部５による画像印刷処理については、完了されるものとする。
【００６７】
一方、カードＡ、Ｂ、Ｃは、図６の（３）に示すように、障害が発生した処理部（ここでは、文字印刷部６）の下流に存在し、発行処理に際し支障がない。このため、ＣＰＵ１０１は、図６の（３）〜（７）に示すように、紫外線吸収層形成部７、保護層形成部８双び集積部９を制御し、カードＡ、Ｂ、Ｃの発行処理を継続する。
【００６８】
これにより、カード発行機２は、カードＡ、Ｂ、Ｃを完成して完成カード集積部４０ａに順に集積する（ステップＳ８〜Ｓ１０、Ｓ１５〜Ｓ１８、Ｓ２３〜Ｓ２７）。そして、集積部Ａ（４０ａ）にカードＣが集積され、カードＣの画像情報および文字情報を削除した後、ＣＰＵ１０１は、カード発行機２の文字印刷部６で障害が発生したことを示す障害発生情報をホストコンピュータ３に通知する（ステップＳ３５）。
【００６９】
この障害発生情報を受けたホストコンピュータ３は、ＣＲＴディスプレイ等の表示画面に文字印刷部６で障害が発生したことを示す情報を表示し、図７の（８）に示すように、操作員に障害を起こした社員証カードＤを取り除いてもらう（ステップＳ３６）。この際、障害が発生した文字印刷部６の上流の画像印刷部５にある社員Ｅ用のカードＥはそのままにしておく。
【００７０】
その後、操作員がカードＤを取り除いて、ホストコンピュータ３のキーボード等を操作して復帰指示を行うと、図５に示すように、ホストコンピュータ３は、ホストＩ／Ｆ１０４を介して復帰信号をＣＰＵ１０１に送信する。
【００７１】
ＣＰＵ１０１は、ホストコンピュータ３からの復帰信号を受信すると、復帰処理を行う（ステップＳ３７）。すなわち、搬送障害を起こした文字印刷部６の初期化、画像印刷部５のカラー画像バッファ１２１に記憶されている社員Ｄ用のＲＧＢ顔画像信号及び文字印刷部６のコードバッファ１３３に記憶されている社員Ｄ用の文字コード信号を一旦削除する。
【００７２】
さらに、正常に発行できなかったカードＤの発行処理を行うため、ホストコンピュータ３から社員Ｄ用のＲＧＢ顔画像信号、文字コード信号及び集積部Ｃ（４０ｃ）を選択する集積部選択情報が送信される。
【００７３】
この社員Ｄ用のＲＧＢ顔画像信号及び文字コード信号は、カードＥの次に処理する社員Ｄ用のカードＤ’の画像情報および文字情報としてカラー画像バッファ１２１およびコードバッファ１３３に記憶される。また、ＣＰＵ１０１は、社員Ｄ用がカードＤ’が再発行であるため、上記集積部選択情報に基づいて完成後に集積する集積部として集積部Ａ（４０ａ）とは別の集積部Ｃ（４０ｃ）を設定する。
【００７４】
このような復帰処理が完了すると、ＣＰＵ１０１は、カード発行機２の復帰処理が完了したことをホストコンピュータ３に通知する（ステップＳ３８）。その後、カード発行機２は、図７の（９）〜図８の（１９）に示すように、カードＥの発行処理を続行するとともに、社員Ｄ用のカードＤ’に対する各処理部による処理を再度実行する（再発行）。
【００７５】
すなわち、図７の（９）に示すように、社員Ｄ用のカードＤ’を再発行するために、取出し部４により初期状態のカードが１枚取出されると、図７の（１０）に示すように、カードＤ’が画像印刷部５へ搬送され、カードＥが文字印刷部６へ搬送される。
【００７６】
文字印刷部６に搬送されたカードＥは、文字印刷処理が実行される（ステップＳ３９）。この際に、取り出し部６により取出された初期状態のカードＤ’は、画像印刷部５に搬送され、画像印刷処理が実行される（ステップＳ４５）。
【００７７】
カードＥへの文字印刷処理、およびカードＤ’への画像印刷処理が完了すると、カードＥが紫外線吸収層形成部７へ搬送され、カードＤ’が文字印刷部６へ搬送される。そして、カードＥへの紫外線吸収層形成処理（ステップＳ４０）、カードＤ’への文字印刷処理（ステップＳ４６）が実行される。
【００７８】
続いて、カードＥへの保護層形成処理（ステップＳ４１）、カードＤ’への紫外線吸収層形成処理（ステップＳ４７）が実行される。カードＥは、保護層形成処理後、図８の（１７）に示すように、正常カード集積部Ａ（４０ａ）にカードＣの次に集積され（ステップＳ４２）、カードＤ’は、保護層形成処理が実行される（ステップＳ４８）。
【００７９】
これらの処理が完了すると、ＣＰＵ１０１は、カードＥの発行完了を送信し社員Ｅ用の画像情報および文字情報を削除するととに（ステップＳ４３、Ｓ４４）、図８の（１９）に示すように、カードＤ’を再発行により完成したカードＤ’として集積部Ｃ（４０ｃ）に集積する（ステップＳ４９）。カードＤ’を集積部Ｃ（４０ｃ）に集積すると、ＣＰＵ１０１は、カードＤ’の発行完了情報をホストコンピュータ３に送信し、カードＤ’用の画像情報および文字情報を削除し（ステップＳ５０、Ｓ５１）、全てのカードに対する発行処理を完了する。
【００８０】
このように、カードＤの発行処理中に障害が発生すると、再発行されるカードＤ’は、本来、正常カード集積部Ａ（４０ａ）に集積されるべきものであるが、正常カード集積部Ａ（４０ａ）に集積された場合、カードの集積順番がＡ、Ｂ、Ｃ、Ｅ、Ｄの順番になってしまうため、正常カード集積部Ｃ（４０ｃ）に集積する。これにより、完成したカードの順番が入れ替わってしまうことがなく、操作員が完成後のカードを発行順に集める際の作業効率を良くすることができる。
【００８１】
すなわち、このようなカード発行装置１によれば、障害発生したことにより再発行したカードは、正常な順に発行されたカードと別の集積部に集積するため、カードの順番が前後することがなく、順番に照合していく過程でそれらが集積されるべき完成カード集積部のカードにない場合には、障害発生したカードが集積される完成カード集積部のカードの束から探せば良く、効率よく照合作業を行うことできる。
【００８２】
上記のように、完成したカードの内容により選択集積可能な複数の集積部を有し、発行途中で障害が発生した場合、障害発生箇所より下流のカードは発行し、障害発生箇所のカードのみが取り除かれた後、障害発生箇所より上流のカードを発行し、障害発生により発行途中で取り除かれたカードは再発行し、本来集積されるべき完成カードの集積部とは別の集積部に集積するようにしたものである。
【００８３】
これにより、カード発行時に障害が発生した場合、障害の発生により再発行したカードを正常に発行されたカードとは別の集積部に集積することができ、カードの発行後に、発行順の申請書と発行後のカードとを照合する際に、申請書の順番に対応するカードが正常に発行されたカードが集積される集積部にない場合、別の集積部に集積しているカードを容易に探し出すことができ、効率良く照合作業を進めていくことができるカード発行装置を提供することを目的とする。
【００８４】
なお、本発明は、上記の実施の形態例に限定されずに、種々な実施の形態が可能である。
【００８５】
【発明の効果】
以上詳述したように、この発明によれば、完成後のカードを発行時の順序で行う作業に手間がかかることなく、発行したカード対して効率良く発行時の順序で作業することができるカード発行装置とカード発行方法を提供できる。
【図面の簡単な説明】
【図１】この発明の実施の形態に係わるカード発行装置の概略構成を示す図。
【図２】完成したカードの外観を示す図。
【図３】カード発行装置の制御系統の構成を示すブロック図。
【図４】カード発行機における発行動作を説明するためのフローチャート。
【図５】カード発行機における発行動作を説明するためのフローチャート。
【図６】カード発行機内におけるカードの状態の変化を示す状態遷移図。
【図７】カード発行機内におけるカードの状態の変化を示す状態遷移図。
【図８】カード発行機内におけるカードの状態の変化を示す状態遷移図。
【符号の説明】
１…カード発行装置
２…カード発行機
３…ホストコンピュータ
４…カード取り出し部（処理部）
５…画像印刷部（処理部）
６…文字印刷部（処理部）
７…紫外線吸収層形成部（処理部）
８…保護層形成部（処理部）
９…集積部（処理部）
１０…カード
１１ａ、１４ａ、２２ａ、３０ａ、３８ａ…搬送障害検知センサ（検知手段）
４０ａ…集積部Ａ（第１の集積部）
４０ｂ…集積部Ｂ
４０ｃ…集積部Ｃ（第２の集積部）
１００…ＣＰＵ周辺回路
１０１…ＣＰＵ（第１、第２の制御手段）
【図１】
0004495812.tif 000002
【図２】
0004495812.tif 000003
【図３】
0004495812.tif 000004
【図４】
0004495812.tif 000005
【図５】
0004495812.tif 000006
【図６】
0004495812.tif 000007
【図７】
0004495812.tif 000008
【図８】
0004495812.tif 000009